(57)【要約】【課題】光入射面に入射される光源部の光が減少するのを抑制しつつ、光入射面と光源部とが接触することに起因して光源部が破損するのを抑制することが可能な表示装置を提供する。【解決手段】このテレビジョン装置（表示装置）１００は、光源部５からの光が入射する光入射面４ａと光入射面４ａ側に形成された突起係合部４２とを含む導光板４と、突起係合部４２に係合する突起部６２を含み、導光板４の液晶セル１１とは反対側の背面に配置されるヒートシンク６と、を備える。突起係合部４２と突起部６２との係合初期において、導光板４の光入射面４ａと光源部５とを間隔Ｄ２だけ離間させるとともに、突起係合部４２と突起部６２との係合終了時において、導光板４の光入射面４ａと光源部５とを間隔Ｄ２よりも小さな間隔Ｄ１だけ離間させるように調整可能に構成されている。【選択図】図４
2015225219.tif 000002
【特許請求の範囲】
【請求項１】
表示部と、
光源部と、
前記光源部の光が入射される側方端面からなる光入射面と、前記光入射面側に形成された第１係合部とを含み、前記光源部から前記光入射面に入射された光を前記表示部に導光する導光板と、
前記第１係合部に係合する第２係合部を含み、前記導光板の前記表示部とは反対側の背面に配置される背面部材と、を備え、
前記第１係合部と前記第２係合部との係合初期において、前記導光板の前記光入射面と前記光源部とを第１の間隔だけ離間させるとともに、前記第１係合部と前記第２係合部との係合終了時または係合終了後において、前記導光板の前記光入射面と前記光源部とを前記第１の間隔よりも小さな第２の間隔だけ離間させるように調整可能に構成されている、表示装置。
【請求項２】
前記第１係合部または前記第２係合部の一方は、突起部であり、前記第１係合部または前記第２係合部の他方は、前記突起部が配置される突起係合部であり、
前記突起部の外表面および前記突起係合部の内表面の少なくとも一方は、前記表示部とは反対側の部分が前記表示部側の部分よりも前記光源部側に位置するように、前記導光板の厚み方向に対して傾斜している、請求項１に記載の表示装置。
【請求項３】
前記背面部材は、前記光源部が取り付けられるヒートシンクからなり、
前記ヒートシンクの前記第２係合部は、前記ヒートシンクに取り付けられた円柱状のピンからなる前記突起部を有する、請求項２に記載の表示装置。
【請求項４】
前記第１係合部および前記第２係合部は、それぞれ、前記突起係合部および前記突起部であり、
前記背面部材の前記突起部の外表面は、前記表示部とは反対側の根元部が前記表示部側の先端部よりも前記光源部側に位置するように、前記導光板の厚み方向に対して傾斜している、請求項２または３に記載の表示装置。
【請求項５】
前記第１係合部および前記第２係合部は、それぞれ、前記突起係合部および前記突起部であり、
前記導光板の前記突起係合部の内表面は、前記表示部とは反対側が前記表示部側よりも前記光源部側に位置するように、前記導光板の厚み方向に対して傾斜している、請求項２〜４のいずれか１項に記載の表示装置。
【請求項６】
前記導光板の前記第１係合部は、前記光入射面の近傍に形成されている、請求項１〜５のいずれか１項に記載の表示装置。
【請求項７】
前記導光板の前記第１係合部は、突起係合部を有し、
前記背面部材の前記第２係合部は、前記突起係合部の内表面に当接した状態で回転可能なように設けられた回転突起部を有し、
前記突起係合部と前記回転突起部との係合終了後において、前記回転突起部が回転されることにより、前記回転突起部の外表面に当接する前記突起係合部の内表面が前記光源部側に移動されるように構成されている、請求項１または２に記載の表示装置。
【請求項８】
前記背面部材の前記回転突起部の外表面は、前記突起係合部と前記回転突起部との係合初期において、前記表示部とは反対側の根元部が前記表示部側の先端部よりも前記光源部側に位置するように、前記導光板の厚み方向に対して傾斜しており、
前記突起係合部と前記回転突起部との係合終了後において、前記回転突起部が回転されることにより、前記回転突起部の外表面において前記先端部が前記根元部よりも前記光源部側に位置することによって、前記回転突起部の外表面に当接する前記突起係合部の内表面が前記光源部側に移動されるように構成されている、請求項７に記載の表示装置。
【発明の詳細な説明】
【技術分野】
【０００１】
この発明は、表示装置に関し、特に、光源部の光が入射される側方端面からなる光入射面を含む導光板を備える表示装置に関する。
【背景技術】
【０００２】
従来、光源部の光が入射される側方端面からなる光入射面を含む導光板を備える表示装置が知られている（たとえば、特許文献１参照）。
【０００３】
上記特許文献１には、光源と、導光板と、フレームとを備える面光源装置が開示されている。導光板は、光源の光が入射される側方端面からなる光入射面を含むとともに、光入射面と光源とが微小な間隔を隔てて、または、密着して対向するように配置されている。フレームは、導光板の周囲を囲むように形成されているとともに、光源が収納されている。
【先行技術文献】
【特許文献】
【０００４】
【特許文献１】特開２０１２−６４３６９号公報
【発明の概要】
【発明が解決しようとする課題】
【０００５】
しかしながら、上記特許文献１の面光源装置では、導光板の光入射面と光源とが密着する場合には、光源が破損する虞があるという問題点がある。また、光入射面と光源との間に微小な間隔が設けられている場合であっても、光源と導光板との組み付け時に光入射面と光源とが接触する場合があり、これによっても、光源が破損する虞がある。また、光入射面と光源とが接触するのを抑制するために、光入射面と光源との間に十分な間隔を確保した状態で組み付けた場合には、光入射面に入射される光源の光が減少するという問題点がある。
【０００６】
この発明は、上記のような課題を解決するためになされたものであり、この発明の１つの目的は、光入射面に入射される光源部の光が減少するのを抑制しつつ、光入射面と光源部とが接触することに起因して光源部が破損するのを抑制することが可能な表示装置を提供することである。
【課題を解決するための手段】
【０００７】
この発明の一の局面による表示装置は、表示部と、光源部と、光源部の光が入射される側方端面からなる光入射面と光入射面側に形成された第１係合部とを含み、光源部から光入射面に入射された光を表示部に導光する導光板と、第１係合部に係合する第２係合部を含み、導光板の表示部とは反対側の背面に配置される背面部材と、を備え、第１係合部と第２係合部との係合初期において、導光板の光入射面と光源部とを第１の間隔だけ離間させるとともに、第１係合部と第２係合部との係合終了時または係合終了後において、導光板の光入射面と光源部とを第１の間隔よりも小さな第２の間隔だけ離間させるように調整可能に構成されている。
【０００８】
この発明の一の局面による表示装置では、上記のように、第１係合部と第２係合部との係合初期において、導光板の光入射面と光源部とを第１の間隔（第２の間隔よりも大きい第１の間隔）だけ離間させるように構成する。これにより、導光板を背面部材に組み付ける際の第１係合部と第２係合部との係合初期においては、導光板の光入射面と光源部とを第２の間隔よりも大きな第１の間隔だけ離間させることができるので、導光板の光入射面と光源部とが接触するのを抑制することができる。これにより、光源部が破損するのを抑制することができる。また、第１係合部と第２係合部との係合終了時または係合終了後において、導光板の光入射面と光源部とを第１の間隔よりも小さな第２の間隔だけ離間させるように調整可能に構成する。これにより、導光板を背面部材に組み付けた後の第１係合部と第２係合部との係合終了時または係合終了後においては、導光板の光入射面と光源部とを第１の間隔よりも小さな第２の間隔だけ離間させることによって、導光板の光入射面と光源部とを近づけることができる。これにより、光入射面に入射される光源部の光が減少するのを抑制することができる。また、第１係合部を光入射面側に形成することによって、第１係合部を光入射面とは反対側に形成する場合と比べて、光入射面に近い側で導光板の光入射面と光源部との間隔を調整することができるので、第１の間隔および第２の間隔を確実に確保することができる。これにより、より確実に、光入射面に入射される光源部の光が減少するのを抑制しつつ、光入射面と光源部とが接触することに起因して光源部が破損するのを抑制することができる。
【０００９】
上記一の局面による表示装置において、好ましくは、第１係合部または第２係合部の一方は、突起部であり、第１係合部または第２係合部の他方は、突起部が配置される突起係合部であり、突起部の外表面および突起係合部の内表面の少なくとも一方は、表示部とは反対側の部分が表示部側の部分よりも光源部側に位置するように、導光板の厚み方向に対して傾斜している。このように構成すれば、第１係合部と第２係合部とを係合させるに従い、第１係合部と第２係合部との係合位置を光源部側に移動させることができるので、係合初期よりも係合終了時または係合終了後に、導光板の第１係合部を光源部により近づけることができる。これにより、導光板の光入射面を光源部により近づけることができるので、導光板の光入射面と光源部との間隔を小さくすることができる。この結果、第１係合部と第２係合部との係合初期においては、導光板の光入射面と光源部とが接触するのを確実に抑制することができ、係合終了時または係合終了後においては、導光板の光入射面と光源部とを確実に近づけることができる。
【００１０】
この場合、好ましくは、背面部材は、光源部が取り付けられるヒートシンクからなり、ヒートシンクの第２係合部は、ヒートシンクに取り付けられた円柱状のピンからなる突起部を有する。ここで、ピンが角柱状である場合には、角柱状の突起部の外表面と導光板の突起係合部の内表面とを接触させた際に、角柱状の突起部の角部と突起係合部の内表面とが接触する場合と、角柱状の突起部の平面部と突起係合部の内表面とが接触する場合とで、係合状態（接触状態）が異なってしまう。一方、上記のように構成すれば、円柱状のピンからなる突起部の外表面と突起係合部の内表面とが接触する際に、常に点接触（線接触）状態になるので、円柱状の突起部の外表面の位置に応じて係合状態（接触状態）が異なるのを抑制することができる。これにより、安定的に、突起係合部と突出部とを係合させることができる。
【００１１】
上記突起部および突起係合部が設けられた構成において、好ましくは、第１係合部および第２係合部は、それぞれ、突起係合部および突起部であり、背面部材の突起部の外表面は、表示部とは反対側の根元部が表示部側の先端部よりも光源部側に位置するように、導光板の厚み方向に対して傾斜している。このように構成すれば、突起係合部と突起部とを係合させるに従い、突起係合部と突起部との係合位置を光源部側に移動させることができるので、係合初期よりも係合終了時または係合終了後に、導光板の突起係合部を光源部により近づけることができる。これにより、導光板の光入射面を光源部により近づけることができるので、導光板の光入射面と光源部との間隔を小さくすることができる。
【００１２】
上記突起部および突起係合部が設けられた構成において、好ましくは、第１係合部および第２係合部は、それぞれ、突起係合部および突起部であり、導光板の突起係合部の内表面は、表示部とは反対側が表示部側よりも光源部側に位置するように、導光板の厚み方向に対して傾斜している。このように構成すれば、突起係合部と突起部とを係合させるに従い、突起係合部と突起部との係合位置を光源部側に移動させることができるので、係合初期よりも係合終了時または係合終了後に、導光板の突起係合部を光源部により近づけることができる。これにより、導光板の光入射面を光源部により近づけることができるので、導光板の光入射面と光源部との間隔を小さくすることができる。
【００１３】
上記一の局面による表示装置において、好ましくは、導光板の第１係合部は、光入射面の近傍に形成されている。このように構成すれば、光入射面により近い側で導光板の光入射面と光源部との間隔を調整することができるので、第１の間隔および第２の間隔をより確実に確保することができる。これにより、さらに確実に、光入射面に入射される光源部の光が減少するのを抑制しつつ、光入射面と光源部とが接触することに起因して光源部が破損するのを抑制することができる。
【００１４】
上記一の局面による表示装置において、好ましくは、導光板の第１係合部は、突起係合部を有し、背面部材の第２係合部は、突起係合部の内表面に当接した状態で回転可能なように設けられた回転突起部を有し、突起係合部と回転突起部との係合終了後において、回転突起部が回転されることにより、回転突起部の外表面に当接する突起係合部の内表面が光源部側に移動されるように構成されている。このように構成すれば、回転突起部が回転されることにより、突起係合部が形成された導光板を光源部側に移動させることができるので、導光板の光入射面と光源部とを近づけることができる。この結果、第１係合部と第２係合部との係合初期においては、導光板の光入射面と光源部とが接触するのを抑制することができ、第１係合部と第２係合部との係合終了後において回転突起部を回転させることによって、導光板の光入射面と光源部とを近づけることができる。
【００１５】
この場合、好ましくは、背面部材の回転突起部の外表面は、突起係合部と回転突起部との係合初期において、表示部とは反対側の根元部が表示部側の先端部よりも光源部側に位置するように、導光板の厚み方向に対して傾斜しており、突起係合部と回転突起部との係合終了後において、回転突起部が回転されることにより、回転突起部の外表面において先端部が根元部よりも光源部側に位置することによって、回転突起部の外表面に当接する突起係合部の内表面が光源部側に移動されるように構成されている。このように構成すれば、第１係合部と第２係合部との係合終了後において回転突起部を回転させることによって、導光板の光入射面と光源部とをより確実に近づけることができる。
【発明の効果】
【００１６】
本発明によれば、上記のように、光入射面に入射される光源部の光が減少するのを抑制しつつ、光入射面と光源部とが接触することに起因して光源部が破損するのを抑制することができる。
【図面の簡単な説明】
【００１７】
【図１】本発明の第１実施形態によるテレビジョン装置を前方から見た全体斜視図である。
【図２】本発明の第１実施形態によるテレビジョン装置の表示モジュールおよびリアフレームの分解斜視図である。
【図３】本発明の第１実施形態によるテレビジョン装置のＺ２側の突起部周辺を示した拡大平面図である。
【図４】図３の１１０−１１０線に沿った係合終了時の断面図である。
【図５】本発明の第１実施形態によるテレビジョン装置のＺ１側の突起部周辺を示した拡大平面図である。
【図６】図５の１２０−１２０線に沿った係合終了時の断面図である。
【図７】本発明の第１実施形態によるテレビジョン装置の係合初期の断面図である。
【図８】本発明の第１実施形態の変形例による係合終了時の断面図である。
【図９】本発明の第１実施形態の変形例による係合初期の断面図である。
【図１０】本発明の第２実施形態による係合終了時の断面図である。
【図１１】本発明の第２実施形態による係合初期の断面図である。
【図１２】本発明の第３実施形態による係合終了後の断面図である。
【図１３】本発明の第３実施形態による係合初期の断面図である。
【図１４】本発明の第３実施形態による係合終了時の断面図である。
【図１５】本発明の第４実施形態による係合終了後の突起部周辺を示した平面図である。
【図１６】図１５の１３０−１３０線に沿った係合終了後の断面図である。
【図１７】本発明の第４実施形態による係合初期の断面図である。
【図１８】本発明の第４実施形態による係合終了時の突起部周辺を示した平面図である。
【図１９】図１８の１４０−１４０線に沿った係合終了時の断面図である。
【図２０】本発明の第３実施形態の変形例による係合終了後の断面図である。
【図２１】図２０の１５０−１５０線に沿った係合終了後の断面図である。
【発明を実施するための形態】
【００１８】
以下、本発明の実施形態を図面に基づいて説明する。
【００１９】
（第１実施形態）
図１〜図７を参照して、本発明の第１実施形態によるテレビジョン装置１００の構成について説明する。以下では、テレビジョン装置１００に対して画像が表示される側を前方（Ｙ１方向）とし、前方の反対側を後方（Ｙ２方向）として説明し、この前方および後方に沿う方向を前後方向（Ｙ方向）とする。また、この前後方向と直交する方向を左右方向（Ｘ方向）および上下方向（Ｚ方向）とする。なお、テレビジョン装置１００は、本発明の「表示装置」の一例である。
【００２０】
本発明の第１実施形態によるテレビジョン装置１００は、図１に示すように、表示モジュール１と、表示モジュール１を前方（Ｙ１方向）から覆うフロントキャビネット（前側筐体）２と、表示モジュール１を後方（Ｙ２方向）から覆うリアフレーム３（後側筐体）とを備えている。また、テレビジョン装置１００は、前方から見て、左右方向（Ｘ方向）に長い矩形状に形成されている。
【００２１】
図２に示すように、表示モジュール１は、前側（Ｙ１側）の面に表示面１１ａを有する液晶セル１１と、液晶セル１１を前方から保持するベゼル１２と、液晶セル１１を後方から保持するモールドフレーム１３と、各種の光学シート１４と、導光板４と、光源部５と、反射シート１６と、ヒートシンク６と、スポンジ部材１７とを含んでいる。なお、液晶セル１１およびヒートシンク６は、それぞれ、本発明の「表示部」および「背面部材」の一例である。
【００２２】
ベゼル１２は、枠状部材であり、モールドフレーム１３の前方（Ｙ１方向）から液晶セル１１を挟んだ状態で、モールドフレーム１３に取り付けられるように構成されている。モールドフレーム１３は、樹脂製の枠状部材であり、液晶セル１１の他、背面側に光学シート１４を保持するように構成されている。また、モールドフレーム１３は、フロントキャビネット２の内側に配置される。光学シート１４は、拡散板やその他の機能性シートなどであり、複数設けられている。なお、図２では、光学シート１４を一枚だけ図示している。
【００２３】
光源部５は、導光板４の左右方向（Ｘ方向）の一方側（Ｘ１側）の側方端面からなる光入射面４ａと対向する位置（図４参照）に設けられている。つまり、このテレビジョン装置１００は、光源部５が導光板４の側方端面側に配置される、いわゆるエッジライト方式（サイドライト方式）の液晶テレビジョン装置である。また、光源部５は、光入射面４ａの延びる上下方向（Ｚ方向）に沿って延びる基板５ａと、基板５ａの光入射面４ａ側（Ｘ２側）に実装された複数のＬＥＤ５ｂとを含んでいる。なお、複数のＬＥＤ５ｂは、上下方向に略等間隔で配置されている。
【００２４】
導光板４は、樹脂製の板状部材であり、光学シート１４の後側（Ｙ２側）に配置されている。導光板４は、光源部５から出射され、導光板４の光入射面４ａから入射した光を液晶セル１１に導光するように構成されている。また、導光板４は、左右方向（Ｘ方向）に長い矩形状に形成されているとともに、前後方向（Ｙ方向）と厚み方向とが一致するように配置されている。また、導光板４の光入射面４ａと光源部５のＬＥＤ５ｂのＸ２側の面との間隔Ｄ１は、０．２ｍｍ程度である。なお、間隔Ｄ１は、本発明の「第２の間隔」の一例である。
【００２５】
反射シート１６は、導光板４の後側（Ｙ２側）に配置されている。反射シート１６は、光源部５からの光を導光板４側（液晶セル１１側）に反射するように構成されている。
【００２６】
ヒートシンク６は、光源部５側（Ｘ１側）で、かつ、導光板４の背面側（後側、Ｙ２側）に設けられている。また、ヒートシンク６のＸ１側の端部には、前側（Ｙ１側）に延びる壁部６ａが形成されている。また、壁部６ａのＸ２側には、接着部材１８（図４参照）を介して、基板５ａのＬＥＤ５ｂが実装された面とは反対側（Ｘ１側）の面が接着されている。これにより、ヒートシンク６に光源部５が取り付けられている。この結果、光源部５からの熱を、ヒートシンク６を介して放出することが可能である。
【００２７】
スポンジ部材１７は、光源部５の近傍において、導光板４とヒートシンク６との間に配置されている。また、スポンジ部材１７は、ＬＥＤ５ｂの前後方向（Ｙ方向）の中心と、導光板４の前後方向（厚み方向）の中心とが略一致する位置に導光板４を前後方向に位置決めするように構成されている。
【００２８】
次に、図２〜図６を参照して、導光板４の光入射面４ａと光源部５（ＬＥＤ５ｂ）との間隔調整機構（主に突起係合部４１および４２と突起部６１および６２）について、詳細に説明する。なお、図３〜図６では、導光板４、光源部５およびヒートシンク６について主に記載し、光学シート１４や反射シート１６については、図示を省略している。なお、突起係合部４１および４２は、本発明の「第１係合部」の一例であり、突起部６１および６２は、本発明の「第２係合部」の一例である。
【００２９】
図２に示すように、導光板４の左右方向（Ｘ方向）に延びる上端面４ｂおよび下端面４ｃには、それぞれ、後述する突起部６１および６２が配置される突起係合部４１および４２が形成されている。突起係合部４１および４２は、それぞれ、上端面４ｂおよび下端面４ｃのうち、光入射面４ａの近傍（導光板４の左右方向の中央よりも光源部５側（Ｘ１側））に形成されている。また、突起係合部４１は、上端面４ｂが前後方向（Ｙ方向）に沿って下方（Ｚ２方向）に切り欠かれることにより形成されているとともに、突起係合部４２は、下端面４ｃが前後方向に沿って上方（Ｚ１方向）に切り欠かれることにより形成されている。つまり、図４および図６に示すように、突起係合部４１の内表面４１ａおよび突起係合部４２の内表面４２ａは、導光板４の厚み方向（Ｙ方向）に沿って延びるように形成されている。
【００３０】
また、図２に示すように、ヒートシンク６の左右方向（Ｘ方向）に延びる上端部６ｂおよび下端部６ｃ近傍には、それぞれ、前方（Ｙ１方向）に突出する突出部６ｄおよび６ｅが形成されている。突出部６ｄおよび６ｅは、それぞれ、上端部６ｂおよび下端部６ｃのうち、光源部５の近傍に形成されている。また、図４および図６に示すように、突出部６ｄおよび６ｅは、光源部５側（Ｘ１側）が光源部５とは反対側（Ｘ２側）よりも後方に位置するように傾斜して形成されている。
【００３１】
ヒートシンク６の突出部６ｄおよび６ｅには、それぞれ、ヒートシンク６に取り付けられた円柱状のピンからなる突起部６１および６２が設けられている。この突起部６１および６２は、それぞれ、導光板４の突起係合部４１および４２に対応する位置に形成されている。また、突起部６１および６１は、それぞれ、突出部６ｄおよび６ｅよりも前方（Ｙ１方向）に突出して形成されている。また、突起部６１の外表面６１ａおよび突起部６２の外表面６２ａは、共に導光板４の厚み方向（Ｙ方向）に対して傾斜するように設けられている。
【００３２】
突起部６２の外表面６２ａは、図４に示すように、液晶セル１１とは反対側である後側（Ｙ２側）の根元部６２ｂが、液晶セル１１側である前側（Ｙ１側）の先端部６２ｃよりも光源部５側（Ｘ１側）に位置するように、一様に傾斜している。同様に、図６に示すように、突起部６１の外表面６１ａは、後側の根元部６１ｂが前側の先端部６１ｃよりも光源部５側に位置するように、一様に傾斜している。
【００３３】
また、図４に示すように、突起部６２の傾斜する外表面６２ａは、突出部６ｅに形成されたピン孔６ｆに、円柱状のピンが後方（Ｙ２方向）から略垂直に取り付けられることによって形成されている。つまり、突出部６ｅが、光源部５側（Ｘ１側）が光源部５とは反対側（Ｘ２側）よりも後方に位置するように傾斜して形成されていることによって、ピンからなる突起部６２の外表面６２ａが導光板４の厚み方向（Ｙ方向）に対して傾斜するように形成されている。この結果、突出部６ｅの左右方向（Ｘ方向）に対する傾斜角度と、突起部６２の外表面６２ａの前後方向（Ｙ方向）に対する傾斜角度とは略等しくなる。
【００３４】
同様に、図６に示すように、突起部６１の傾斜する外表面６１ａは、突出部６ｄに形成されたピン孔６ｇに、円柱状のピンが後方から略垂直に取り付けられることによって形成されている。
【００３５】
なお、突起部６１および６２を形成するピンは、ヒートシンク６の後面（Ｙ２側の面）にかしめられることによって、ヒートシンク６に固定されている。また、円柱状のピンからなる突起部６２の外表面６２ａは、突起係合部４２の左右方向（Ｘ方向）の内表面４２ａにおいて、導光板４の厚み方向（Ｙ方向）に線接触している。同様に、円柱状のピンからなる突起部６１の外表面６１ａは、突起係合部４１の左右方向の内表面４１ａにおいて、導光板４の厚み方向に線接触している。
【００３６】
また、図３および図４に示すように、突起部６２の先端部６２ｃは、導光板４の液晶セル１１側（Ｘ１側）の前面（Ｙ１側の面）よりも前側（Ｙ１側）に位置するとともに、突起部６２の先端部６２ｃのＸ２側が、突起係合部４２の内表面４２ａの開口部４２ｂのＸ２側よりも、Ｘ２側に位置するように構成されている。これにより、突起部６２により、導光板４が前方に移動するのを規制することが可能である。同様に、図５および図６に示すように、突起部６１の先端部６１ｃは、導光板４の前面よりも前側に位置するとともに、突起部６１の先端部６１ｃのＸ２側が、突起係合部４１の内表面４１ａの開口部４１ｂのＸ２側よりも、Ｘ２側に位置するように構成されている。
【００３７】
また、上側（Ｚ１側）の突起係合部４１および突起部６１は、下側（Ｚ２側）の突起係合部４２および突起部６２の鏡像対称の構成になるように形成されている。
【００３８】
ここで、第１実施形態では、突起係合部４１および４２と突起部６１および６２との係合初期において、導光板４の光入射面４ａと光源部５（ＬＥＤ５ｂ）とを間隔Ｄ２だけ左右方向（Ｘ方向）に離間させるとともに、突起係合部４１および４２と突起部６１および６２との係合終了時において、導光板４の光入射面４ａと光源部５とを間隔Ｄ２よりも小さな間隔Ｄ１だけ左右方向に離間させるように調整可能に構成されている。
【００３９】
次に、図４および図７を参照して、間隔調整機構（突起係合部４１および４２と突起部６１および６２）を用いた具体的な間隔調整について説明する。
【００４０】
導光板４をヒートシンク６に組み付ける際には、まず、図７に示すように、壁部６ａに光源部５が取り付けられたヒートシンク６に対して、導光板４を前方（Ｙ１方向）から後方（Ｙ２方向）に向かって移動させる。これにより、突起部６２の前側（Ｙ１側）の先端部６２ｃが、突起係合部４２の後側（Ｙ２側）の開口部４２ｃから挿入されることによって、突起係合部４２と突起部６２とが係合される。同様に、突起部６１の前側の先端部６１ｃが、突起係合部４２の後側の開口部４１ｃから挿入されることによって、突起係合部４２と突起部６２とが係合される。
【００４１】
この係合初期においては、導光板４の光入射面４ａと光源部５（ＬＥＤ５ｂ）とは、間隔Ｄ２だけ左右方向（Ｘ方向）に離間している。なお、間隔Ｄ２は、本発明の「第１の間隔」の一例であり、約０．５ｍｍ以上約１ｍｍ以下である。これにより、組み付け時には、導光板４の光入射面４ａと光源部５（ＬＥＤ５ｂ）とが左右方向に十分な間隔Ｄ２を隔てて離間しているので、組み付け時に導光板４の光入射面４ａと光源部５とが接触するのが抑制される。
【００４２】
そして、導光板４が後方（Ｙ２方向）に移動されるに従い、傾斜した突起部６２の外表面６２ａに当接する突起係合部４２の内表面４２ａが、傾斜した外表面６２ａに沿って移動される。この際、突起部６２の外表面６２ａにおいて、後側（Ｙ２側）の根元部６２ｂが前側（Ｙ１側）の先端部６２ｃよりも光源部５側（Ｘ１側）に位置するように一様に傾斜していることにより、先端部６２ｃから根元部６２ｂに向かって導光板４が移動されるに従い、突起係合部４２の内表面４２ａが光源部５側に移動される。また、突起係合部４１と突起部６１との間でも、突起係合部４２と突起部６２と同様に、突起係合部４１の内表面４１ａが光源部５側に移動される。これにより、導光板４全体が光源部５側に移動されることによって、導光板４の光入射面４ａと光源部５との間隔が徐々に狭くなる。
【００４３】
最後に、図４に示すように、導光板４の後面（Ｙ２側の面）がスポンジ部材１７に当接することによって、導光板４の後方（Ｙ２方向）への移動が規制される。この係合終了時においては、導光板４の光入射面４ａと光源部５（ＬＥＤ５ｂ）とは、間隔Ｄ２よりも小さな間隔Ｄ１だけ左右方向（Ｘ方向）に離間する。これにより、係合初期よりも係合終了時において、導光板４の光入射面４ａと光源部５とが近接して配置される。
【００４４】
第１実施形態では、以下のような効果を得ることができる。
【００４５】
第１実施形態では、上記のように、突起係合部４１および４２と突起部６１および６２との係合初期において、導光板４の光入射面４ａと光源部５（ＬＥＤ５ｂ）とを左右方向（Ｘ方向）に間隔Ｄ２だけ離間させるように構成する。これにより、導光板４をヒートシンク６に組み付ける際の突起係合部４１および４２と突起部６１および６２との係合初期においては、導光板４の光入射面４ａと光源部５とを間隔Ｄ１よりも大きな間隔Ｄ２だけ離間させることができるので、導光板４の光入射面４ａと光源部５とが接触するのを抑制することができる。これにより、光源部５（ＬＥＤ５ｂ）が破損するのを抑制することができる。また、導光板４をヒートシンク６に組み付けた後の突起係合部４１および４２と突起部６１および６２との係合終了時において、導光板４の光入射面４ａと光源部５（ＬＥＤ５ｂ）とを間隔Ｄ２よりも小さな間隔Ｄ１だけ離間させる。これにより、係合終了時においては、導光板４の光入射面４ａと光源部５とを間隔Ｄ２よりも小さな間隔Ｄ１だけ離間させることによって、導光板４の光入射面４ａと光源部５とを近づけることができる。これにより、光入射面４ａに入射される光源部５の光が減少するのを抑制することができる。
【００４６】
また、第１実施形態では、突起係合部４１および４２を光入射面４ａ側に形成することによって、突起係合部４１および４２を光入射面４ａとは反対側に形成する場合と比べて、光入射面４ａに近い側で導光板４の光入射面４ａと光源部５との間隔を調整することができるので、間隔Ｄ１およびＤ２を確実に確保することができる。これにより、より確実に、光入射面４ａに入射される光源部５の光が減少するのを抑制しつつ、光入射面４ａと光源部５とが接触することに起因して光源部５が破損するのを抑制することができる。
【００４７】
また、第１実施形態では、ヒートシンク６の突起部６１および６２を、ヒートシンク６に取り付けられた円柱状のピンから構成することによって、円柱状のピンからなる突起部６２の外表面６２ａと突起係合部４２の内表面４２ａとが接触する際に、常に点接触（線接触）状態になるので、円柱状の突起部６２の外表面６２ａの位置に応じて係合状態（接触状態）が異なるのを抑制することができる。同様に、円柱状のピンからなる突起部６１の外表面６１ａと突起係合部４１の内表面４１ａとが接触する際に、円柱状の突起部６１の外表面６１ａの位置に応じて係合状態（接触状態）が異なるのを抑制することができる。これにより、安定的に、突起係合部４１および４２と突起部６１および６２とをそれぞれ係合させることができる。
【００４８】
また、第１実施形態では、ヒートシンク６の突起部６２の外表面６２ａを、液晶セル１１とは反対側（後側、Ｙ２側）の根元部６２ｂが液晶セル１１側（前側、Ｙ１側）の先端部６２ｃよりも光源部５側（Ｘ１側）に位置するように、導光板４の厚み方向（Ｙ方向）に対して傾斜させる。これにより、突起係合部４２と突起部６２とを係合させるに従い、突起係合部４２と突起部６２との係合位置を光源部１５側に移動させることができるとともに、突起係合部４１と突起部６１との係合位置を光源部１５側に移動させることができるので、係合初期よりも係合終了時に、導光板４の突起係合部４１および４２を光源部５により近づけることができる。この結果、導光板４の光入射面４ａを光源部１５により近づけることができるので、導光板４の光入射面４ａと光源部１５との間隔を小さくすることができる。したがって、突起係合部４２と突起部６２との係合初期においては、導光板４の光入射面４ａと光源部５とが接触するのを確実に抑制することができ、係合終了時においては、導光板４の光入射面４ａと光源部５とを確実に近づけることができる。
【００４９】
また、第１実施形態では、導光板４の突起係合部４１および４２を、光入射面４ａの近傍に形成することによって、光入射面４ａにより近い側で導光板４の光入射面４ａと光源部５との間隔を調整することができるので、間隔Ｄ１およびＤ２をより確実に確保することができる。これにより、さらに確実に、光入射面４ａに入射される光源部５の光が減少するのを抑制しつつ、光入射面４ａと光源部５とが接触することに起因して光源部５が破損するのを抑制することができる。
【００５０】
（第１実施形態の変形例）
次に、図８および図９を参照して、第１実施形態の変形例について説明する。この第１実施形態の変形例では、突出部６ｅが傾斜して形成されていることによって、ピンからなる突起部６２の外表面６２ａが傾斜するように形成された上記第１実施形態と異なり、突起部２６２の傾斜する外表面２６２ａが、予め傾斜するように形成されたピン自体により形成される例について説明する。なお、突起部２６２は、本発明の「第２係合部」の一例である。また、上記した実施形態と同様の構成は、同じ符号を付して図示するとともに説明を省略する。
【００５１】
第１実施形態の変形例では、図８に示すように、ヒートシンク２０６の前方（Ｙ１方向）に突出する突出部２０６ｅは、上記第１実施形態の傾斜する突出部６ｅと異なり、左右方向（Ｘ方向）に延びる水平面状に形成されている。これにより、ヒートシンク２０６の突出部２０６ｅを容易に形成することが可能である。なお、ヒートシンク２０６は、本発明の「背面部材」の一例である。
【００５２】
また、ヒートシンク２０６の突出部２０６ｅに設けられた突起部２６２の外表面２６２ａは、導光板４の厚み方向（Ｙ方向）に対して傾斜するように設けられている。具体的には、突起部２６２の外表面２６２ａは、後側（Ｙ２側）の根元部２６２ｂが、前側（Ｙ１側）の先端部２６２ｃよりも光源部５側（Ｘ１側）に位置するように、一様に傾斜している。ここで、突起部２６２を構成するピンは、予め、後側の根元部２６２ｂが前側の先端部２６２ｃよりも光源部５側に位置するように、導光板４の厚み方向に対して傾斜するように形成されている。この結果、水平面状の突出部２０６ｅに設けられた突起部２６２の外表面２６２ａは、導光板４の厚み方向に対して傾斜するように設けられている。
【００５３】
次に、図８および図９を参照して、第１実施形態の変形例における、間隔調整機構（突起係合部４２と突起部２６２）を用いた具体的な間隔調整について説明する。
【００５４】
上記第１実施形態と同様に、係合初期においては、図９に示すように、導光板４の光入射面４ａと光源部５（ＬＥＤ５ｂ）とは、間隔Ｄ２だけ左右方向（Ｘ方向）に離間している。そして、導光板４が後方（Ｙ２方向）に移動されるに従い、傾斜した突起部２６２の外表面２６２ａに当接する突起係合部４２の内表面４２ａが、傾斜した外表面２６２ａに沿って移動される。これにより、導光板４全体が光源部５側に移動されることによって、導光板４の光入射面４ａと光源部５との間隔が徐々に狭くなる。
【００５５】
最後に、図８に示すように、導光板４の後面（Ｙ２側の面）がスポンジ部材１７に当接することによって、導光板４の後方への移動が規制される。この係合終了時においては、導光板４の光入射面４ａと光源部５とは、間隔Ｄ２よりも小さな間隔Ｄ１だけ左右方向に離間する。これにより、係合初期よりも係合終了時において、導光板４の光入射面４ａと光源部５とが近接して配置される。
【００５６】
第１実施形態の変形例のその他の構成および効果は、上記第１実施形態と同様である。
【００５７】
（第２実施形態）
次に、図１０および図１１を参照して、第２実施形態について説明する。この第２実施形態では、ヒートシンク６の突起部６２の外表面６２ａを傾斜させた上記第１実施形態と異なり、導光板３０４の突起係合部３４２の内表面３４２ａを傾斜させた例について説明する。なお、突起係合部３４２は、本発明の「第１係合部」の一例である。また、上記した実施形態と同様の構成は、同じ符号を付して図示するとともに説明を省略する。
【００５８】
第２実施形態では、図１０に示すように、導光板３０４の突起係合部３４２は、光源部５の近傍に設けられている。また、突起係合部３４２の内表面３４２ａは、導光板３０４の厚み方向（Ｙ方向）に対して傾斜するように形成されている。具体的には、突起係合部３４２は、一様の内径を有するように形成されている一方、突起係合部３４２の内表面３４２ａは、後側（Ｙ２側）の開口部３４２ｃが、前側（Ｙ１側）の開口部３４２ｂよりも光源部５側（Ｘ１側）に位置するように、一様に傾斜している。
【００５９】
また、ヒートシンク３０６に設けられた、円柱状のピンからなる突起部３６２の外表面３６２ａは、水平面状の突出部２０６ｅから略垂直に延びるように形成されていることによって、前後方向（Ｙ方向）に延びるように形成されている。なお、ヒートシンク３０６および突起部３６２は、それぞれ、本発明の「背面部材」および「第２係合部」の一例である。
【００６０】
次に、図１０および図１１を参照して、第２実施形態における、間隔調整機構（突起係合部３４２と突起部３６２）を用いた具体的な間隔調整について説明する。
【００６１】
図１１に示すように、上記第１実施形態と同様に、突起部３６２の前側（Ｙ１側）の先端部３６２ｃが、突起係合部３４２の後側（Ｙ２側）の開口部３４２ｃから挿入されることによって、突起係合部３４２と突起部３６２とが係合される。この係合初期においては、導光板３０４の光入射面４ａと光源部５（ＬＥＤ５ｂ）とは、間隔Ｄ２だけ左右方向（Ｘ方向）に離間している。
【００６２】
そして、導光板３０４が後方（Ｙ２方向）に移動されるに従い、前後方向に延びる突起部３６２の外表面３６２ａに当接する突起係合部３４２の傾斜した内表面３４２ａが、外表面３６２ａに沿って移動される。この際、内表面３４２ａが、後側（Ｙ２側）の開口部３４２ｃが前側（Ｙ１側）の開口部３４２ｂよりも光源部５側（Ｘ１側）に位置するように一様に傾斜していることにより、先端部３６２ｃから根元部３６２ｂに向かって移動されるに従い、突起係合部３４２の内表面３４２ａが光源部５側に移動される。これにより、導光板３０４全体が光源部５側に移動されることによって、導光板３０４の光入射面４ａと光源部５との間隔が徐々に狭くなる。
【００６３】
最後に、図１０に示すように、導光板３０４の後面（Ｙ２側の面）がスポンジ部材１７に当接することによって、導光板３０４の後方への移動が規制される。この係合終了時においては、導光板３０４の光入射面４ａと光源部５とは、間隔Ｄ２よりも小さな間隔Ｄ１だけ左右方向（Ｘ方向）に離間する。これにより、係合初期よりも係合終了時において、導光板３０４の光入射面４ａと光源部５とが近接して配置される。
【００６４】
第２実施形態のその他の構成は、上記第１実施形態と同様である。
【００６５】
第２実施形態では、以下のような効果を得ることができる。
【００６６】
第２実施形態では、上記のように、突起係合部３４２と突起部３６２との係合初期において、導光板３０４の光入射面４ａと光源部５（ＬＥＤ５ｂ）とを左右方向（Ｘ方向）に間隔Ｄ２だけ離間させる。これにより、上記第１実施形態と同様に、導光板３０４の光入射面４ａと光源部５とが接触するのを抑制することができる。また、係合終了時において、導光板３０４の光入射面４ａと光源部５とを間隔Ｄ２よりも小さな間隔Ｄ１だけ離間させる。これにより、上記第１実施形態と同様に、導光板３０４の光入射面４ａと光源部５とを近づけることができる。
【００６７】
また、第２実施形態では、導光板３０４の突起係合部３４２の内表面３４２ａを、液晶セルとは反対側（後側、Ｙ２側）が液晶セル側（前側、Ｙ１側）よりも光源部５側（Ｘ１側）に位置するように、導光板３０４の厚み方向（Ｙ方向）に対して傾斜させる。これにより、突起係合部３４２と突起部３６２とを係合させるに従い、突起係合部３４２と突起部３６２との係合位置を光源部１５側に移動させることができるので、係合初期よりも係合終了時に、導光板３０４の突起係合部３４２を光源部１５により近づけることができる。これにより、導光板３０４の光入射面４ａを光源部５により近づけることができるので、導光板３０４の光入射面４ａと光源部５との間隔を小さくすることができる。したがって、突起係合部３４２と突起部３６２との係合初期においては、導光板３０４の光入射面４ａと光源部５とが接触するのを確実に抑制することができ、係合終了時においては、導光板３０４の光入射面４ａと光源部５とを確実に近づけることができる。
【００６８】
第２実施形態のその他の効果は、上記第１実施形態と同様である。
【００６９】
（第３実施形態）
次に、図１２〜図１４を参照して、第３実施形態について説明する。この第３実施形態では、上記第１実施形態に加えて、回転突起部４６２を回転させることによって、導光板４の光入射面４ａを光源部５に近づける例について説明する。なお、回転突起部４６２は、本発明の「第２係合部」の一例である。また、上記した実施形態と同様の構成は、同じ符号を付して図示するとともに説明を省略する。
【００７０】
第３実施形態では、図１２に示すように、ヒートシンク４０６の突出部２０６ｅには、雌ねじが内表面に形成されたねじ孔４０６ｆが設けられている。なお、ヒートシンク４０６は、本発明の「背面部材」の一例である。
【００７１】
また、ヒートシンク４０６の突出部２０６ｅには、雄ねじが形成されたピンからなる回転突起部４６２が設けられている。この回転突起部４６２は、外表面４６２ａが導光板４の厚み方向（Ｙ方向）に対して傾斜する前部４６２ｄと、外表面４６２ａが導光板４の厚み方向に沿って延びる後部４６２ｅとを有している。また、前部４６２ｄの外表面４６２ａは、導光板４の突起係合部４２と回転突起部４６２との係合終了後において、前側（Ｙ１側）の先端部４６２ｃが、後側（Ｙ２側）の根元部４６２ｂ（前部４６２ｄと後部４６２ｅとの境界部）よりも光源部５側（Ｘ１側）に位置するように、一様に傾斜している。また、後部４６２ｅの外表面４６２ａには、ねじ孔４０６ｆに対応する雄ねじが形成されている。
【００７２】
また、回転突起部４６２の後面４６２ｆ（Ｙ２側の面）には、図示しないドライバなどにより回転させることが可能なように、十字穴（図示せず）が形成されている。これにより、回転突起部４６２を回転させることによって、雌ねじが形成されたねじ孔４０６ｆと、雄ねじが外表面４６２ａに形成された回転突起部４６２の後部４６２ｅとを螺合させることが可能であり、この結果、ヒートシンク４０６に回転突起部４６２を固定させることが可能である。また、回転突起部４６２を回転させることによって、前部４６２ｄの傾斜する向きを異ならせることが可能なように構成されている。
【００７３】
次に、図１２〜図１４を参照して、第３実施形態における、間隔調整機構（突起係合部４２と回転突起部４６２）を用いた具体的な間隔調整について説明する。
【００７４】
図１３に示すように、ヒートシンク４０６に対して、導光板４を前方（Ｙ１方向）から移動させる。この際、突起係合部４２と回転突起部４６２との係合初期においては、ヒートシンク４０６の回転突起部４６２の前部４６２ｄは、後側（Ｙ２側）の根元部４６２ｂが前側（Ｙ１側）の先端部４６２ｃよりも光源部５側（Ｘ１側）に位置するように傾斜している。したがって、係合初期においては、導光板４の光入射面４ａと光源部５（ＬＥＤ５ｂ）とは、間隔Ｄ２だけ左右方向（Ｘ方向）に離間している。
【００７５】
そして、第１実施形態と同様に、導光板４が後方（Ｙ２方向）に移動されるに従い、回転突起部４６２の前部４６２ｄの傾斜する外表面４６２ａに当接する突起係合部４２の内表面４２ａが、外表面４６２ａに沿って移動される。この際、外表面４６２ａが、後側（Ｙ２側）の根元部４６２ｂが前側（Ｙ１側）の先端部４６２ｃよりも光源部５側（Ｘ１側）に位置するように一様に傾斜していることにより、先端部４６２ｃから根元部４６２ｂに向かって移動されるに従い、突起係合部４２の内表面４２ａが光源部５側に移動される。これにより、導光板４全体が光源部５側に移動されることによって、導光板４の光入射面４ａと光源部５との間隔が徐々に狭くなる。一方、根元部４６２ｂよりも後方の後部４６２ｅでは外表面４６２ａが傾斜していないため、突起係合部４２の内表面４２ａは左右方向（Ｘ方向）に移動されない。
【００７６】
そして、図１４に示すように、導光板４の後面（Ｙ２側の面）がスポンジ部材１７に当接することによって、導光板４の後方への移動が規制される。この係合終了時においては、導光板４の光入射面４ａと光源部５とは、間隔Ｄ２よりも小さな間隔Ｄ３だけ左右方向（Ｘ方向）に離間する。
【００７７】
そして、第３実施形態では、係合終了の後に、さらに、回転突起部４６２を１８０度回転させる。これにより、係合終了後（図１４に二点鎖線で示す）において、回転突起部４６２の前部４６２ｄが、前側（Ｙ１側）の先端部４６２ｃが後側（Ｙ２側）の根元部４６２ｂよりも光源部５側（Ｘ１側）に位置するように傾斜するように配置される。そして、この回転突起部４６２の回転に伴い、回転突起部４６２の先端部４６２ｃ近傍の外表面４６２ａに当接する突起係合部４２の内表面４２ａが、さらに光源部５側に移動される。この結果、図１２に示すように、係合終了後において、導光板４の光入射面４ａと光源部５とは、間隔Ｄ３よりも小さな間隔Ｄ１だけ左右方向（Ｘ方向）に離間する。これにより、係合初期および係合終了時よりも係合終了後において、導光板４の光入射面４ａと光源部５とが近接して配置される。
【００７８】
第３実施形態のその他の構成は、上記第１実施形態と同様である。
【００７９】
第３実施形態では、以下のような効果を得ることができる。
【００８０】
第３実施形態では、上記のように、突起係合部４２と回転突起部４６２との係合初期において、導光板４の光入射面４ａと光源部５（ＬＥＤ５ｂ）とを左右方向（Ｘ方向）に間隔Ｄ２だけ離間させる。これにより、上記第１実施形態と同様に、導光板４の光入射面４ａと光源部５とが接触するのを抑制することができる。また、係合終了後において、導光板４の光入射面４ａと光源部５とを間隔Ｄ２よりも小さな間隔Ｄ１だけ離間させる。これにより、上記第１実施形態と同様に、導光板４の光入射面４ａと光源部５とを近づけることができる。
【００８１】
また、第３実施形態では、回転突起部４６２の回転に伴い、回転突起部４６２の先端部４６２ｃ近傍の外表面４６２ａに当接する突起係合部４２の内表面４２ａが、さらに光源部５側（Ｘ１側）に移動されるように構成する。これにより、回転突起部４６２が回転されることにより、突起係合部４２が形成された導光板４を光源部５側に移動させることができるので、導光板４の光入射面４ａと光源部５とを近づけることができる。この結果、突起係合部４２と回転突起部４６２との係合初期においては、導光板４の光入射面４ａと光源部５とが接触するのを抑制することができ、突起係合部４２と回転突起部４６２との係合終了後において回転突起部４６２を回転させることによって、導光板４の光入射面４ａと光源部５とを近づけることができる。
【００８２】
また、第３実施形態では、突起係合部４２と回転突起部４６２との係合初期においては、ヒートシンク４０６の回転突起部４６２の前部４６２ｄを、後側（Ｙ２側）の根元部４６２ｂが前側（Ｙ１側）の先端部４６２ｃよりも光源部５側（Ｘ１側）に位置するように傾斜するように配置する。そして、係合終了後に、回転突起部４６２の前部４６２ｄを、前側の先端部４６２ｃが後側の根元部４６２ｂよりも光源部５側に位置するように傾斜するように配置する。これにより、係合終了後において、導光板４の光入射面４ａと光源部５とをより確実に近づけることができる。
【００８３】
第３実施形態のその他の効果は、上記第１実施形態と同様である。
【００８４】
（第４実施形態）
次に、図１５〜図１９を参照して、第４実施形態について説明する。この第４実施形態では、上記第３実施形態と異なり、突起係合部４２および回転突起部５６２の双方に傾斜を設けない例について説明する。なお、回転突起部５６２は、本発明の「第２係合部」の一例である。また、上記第１実施形態と同様の構成は、第１実施形態と同じ符号を付して図示するとともに説明を省略する。
【００８５】
第４実施形態では、図１５および図１６に示すように、ヒートシンク５０６の突出部２０６ｅには、雄ねじが形成されたピンからなる回転突起部５６２が設けられている。この回転突起部５６２は、図１６に示すように、外表面５６２ａが導光板４の厚み方向（Ｙ方向）に沿って延びる円柱状の前部５６２ｄおよび円柱状の後部５６２ｅを有している。前部５６２ｄは、導光板４の突起係合部４２の左右方向（Ｘ方向）の内表面４２ａに当接するように設けられている。なお、ヒートシンク５０６および回転突起部５６２は、それぞれ、本発明の「背面部材」および「第２係合部」の一例である。
【００８６】
後部５６２ｅの外表面５６２ａには、雄ねじが形成されている。また、後部５６２ｅの径は、前部５６２ｄの径よりも小さくなるように形成されている。さらに、後部５６２ｅは、前部５６２ｄの中心から離れた偏心位置に形成されている。
【００８７】
回転突起部５６２の先端部５６２ｃ（Ｙ１側の面）には、図示しないドライバなどにより回転させることが可能なように、十字穴が形成されている。これにより、回転突起部５６２を回転させることによって、雌ねじが形成されたねじ孔４０６ｆと、雄ねじが外表面５６２ａに形成された回転突起部５６２の後部５６２ｅとを螺合させることが可能であり、この結果、ヒートシンク５０６に回転突起部５６２を固定させることが可能である。また、回転突起部５６２を回転させることによって、前部５６２ｄの後部５６２ｅに対する相対位置が変化するように構成されている。
【００８８】
次に、図１５〜図１９を参照して、第４実施形態における、間隔調整機構（突起係合部４２と回転突起部５６２）を用いた具体的な間隔調整について説明する。
【００８９】
図１７に示すように、ヒートシンク５０６に対して、導光板４を前方（Ｙ１方向）から移動させる。この際、第４実施形態では、上記第３実施形態と異なり、回転突起部５６２に傾斜が設けられていないため、図１７〜図１９に示すように、係合初期および係合終了時に、導光板４の光入射面４ａと光源部５（ＬＥＤ５ｂ）とは、間隔Ｄ２だけ左右方向（Ｘ方向）に離間している。
【００９０】
そして、第４実施形態では、係合終了の後に、さらに、回転突起部５６２を所定の角度だけ回転させる。この際、後部５６２ｅが前部５６２ｄの中心から離れた偏心位置に形成されているとともに、後部５６２ｅとヒートシンク５０６とが固定されていることによって、図１８および図１９に二点鎖線で示すように、前部５６２ｄがＸ１側およびＺ１側に移動する。これにより、前部５６２ｄに当接する突起係合部４２の内表面４２ａも、Ｘ１側に移動される。この結果、図１５および図１６に示す係合終了後において、導光板４の光入射面４ａと光源部５とは、間隔Ｄ２よりも小さな間隔Ｄ１だけ左右方向（Ｘ方向）に離間する。これにより、係合初期および係合終了時よりも係合終了後において、導光板４の光入射面４ａと光源部５とが近接して配置される。
【００９１】
また、前部５６２ｄがＺ１側に移動することによって、係合終了後において、前部５６２ｄと突起係合部４２の上側（Ｚ１側）の内表面４２ａとの間隔が距離Ｌ（図１８参照）だけ短くなる。これにより、前部５６２ｄにより、導光板４の上下方向（Ｚ方向）の位置ずれを抑制することが可能である。
【００９２】
第４実施形態のその他の構成は、上記第３実施形態と同様である。
【００９３】
第４実施形態では、以下のような効果を得ることができる。
【００９４】
第４実施形態では、上記のように、突起係合部４２と回転突起部５６２との係合初期において、導光板４の光入射面４ａと光源部５（ＬＥＤ５ｂ）とを左右方向（Ｘ方向）に間隔Ｄ２だけ離間させる。これにより、上記第１実施形態と同様に、導光板４の光入射面４ａと光源部５とが接触するのを抑制することができる。また、係合終了後において、導光板４の光入射面４ａと光源部５とを間隔Ｄ２よりも小さな間隔Ｄ１だけ離間させる。これにより、上記第１実施形態と同様に、導光板４の光入射面４ａと光源部５とを近づけることができる。
【００９５】
第４実施形態のその他の効果は、上記第３実施形態と同様である。
【００９６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００９７】
たとえば、上記第１〜第３実施形態では、テレビジョン装置に本発明を適用した例を示したが、テレビジョン装置以外の表示装置に本発明を適用してもよい。
【００９８】
また、上記第３および第４実施形態では、ねじの螺合により、ヒートシンクと回転突起部とを固定した例について示したが、本発明はこれに限られない。たとえば、図２０および図２１に示す第３実施形態の変形例のように、ヒートシンク６０６のピン孔６０６ｆに一対の回転止め６０６ｈを設けるとともに、ピンからなる回転突起部６６２の回転止め６０６ｈに対応する部分に回転止め係合部６６２ｇをそれぞれ設けることによって、ねじの螺合ではなく、回転止め６０６ｈにより回転突起部６６２の回転が抑制されるように構成してもよい。この回転止め６０６ｈは、ピン孔６０６ｆの中心に向かって突出するように形成されている。また、回転止め係合部６６２ｇは、回転突起部６６２の中心に向かって窪むように形成されている。また、一対の回転止め６０６ｈおよび一対の回転止め係合部６６２ｇは、共に約１８０度の角度間隔を隔てて形成されている。これにより、回転突起部６６２を約１８０度ごとにヒートシンク６０６に固定することが可能である。なお、ヒートシンク６０６および回転突起部６６２は、それぞれ、本発明の「背面部材」および「第２係合部」の一例である。
【００９９】
また、上記第１および第２実施形態では、導光板に突起係合部を設け、ヒートシンク（背面部材）に突起部を設けた例について示したが、本発明はこれに限られない。本発明では、導光板に突起部を設け、ヒートシンク（背面部材）に突起係合部を設けてもよい。
【０１００】
また、上記第１実施形態では、一対の突起係合部（突起係合部４１および４２）を導光板４の光入射面４ａ側に形成した例について示したが、本発明はこれに限られない。本発明では、突起係合部を１つ、または、３つ以上形成してもよい。この際、少なくとも１つは、導光板の光入射面側に形成する必要がある。
【０１０１】
また、上記第１実施形態では、一対の突起係合部（突起係合部４１および４２）を導光板４の光入射面４ａの近傍に形成した例について示したが、本発明はこれに限られない。本発明では、導光板よりも光源部側であれば、突起係合部を光入射面の近傍に設けなくてもよい。
【０１０２】
また、上記第１および第２実施形態では、突起部または突起係合部のいずれか一方に傾斜を設けた例について示したが、本発明はこれに限られない。本発明では、突起部および突起係合部の双方に傾斜を設けてもよい。
【０１０３】
また、上記第１〜第４実施形態では、本発明の「第１係合部」および「第２係合部」として、突起係合部および突起部または回転突起部を用いた例について示したが、本発明はこれに限られない。本発明では、本発明の「第１係合部」および「第２係合部」として、互いに係合可能であれば、突起係合部および突起部以外であってもよい。
【０１０４】
また、上記第１〜第４実施形態では、本発明の「背面部材」として、ヒートシンクを用いた例について示したが、本発明はこれに限られない。本発明では、本発明の「背面部材」として、たとえば、リアキャビネットなどのヒートシンク以外の部材を用いてもよい。
【０１０５】
また、上記第１および第２実施形態では、ヒートシンクの突起部をピンから構成した例
について示したが、本発明はこれに限られない。本発明では、突起部をプレス成型などによりヒートシンクと一体的に設けてもよい。
【０１０６】
また、上記第３実施形態では、回転突起部４６２を約１８０度回転させた例を示したが、本発明はこれに限られない。本発明では、回転突起部を約１８０度未満の所定の角度だけ回転させてもよい。これにより、導光板の光入射面と光源部との間隔を組み付け時に容易に調整することが可能である。
【０１０７】
また、上記第１実施形態の変形例および第２〜第４実施形態では、下側（Ｚ２側）の突起係合部および突起部（回転突起部）のみについて説明したが、上側（Ｚ１側）の突起係合部および突起部に関しても、第１実施形態の変形例および第２〜第４実施形態の構成を適用してもよい。また、上側の突起係合部および突起部と、下側の突起係合部および突起部とで、採用する構成（第１〜第４実施形態の構成）を異ならせてもよい。
【符号の説明】
【０１０８】
４、３０４  導光板
４ａ  光入射面
５  光源部
６、２０６、３０６、４０６、５０６、６０６  ヒートシンク（背面部材）
１１  液晶セル（表示部）
４１、４２、３４２  突起係合部（第１係合部）
４１ａ、４２ａ、３４２ａ  内表面
６１、６２、２６２、３６２  突起部（第２係合部）
６１ａ、６２ａ、２６２ａ、３６２ａ、４６２ａ、５６２ａ  外表面
６２ｂ、２６２ｂ、３６２ｂ、４６２ｂ  根元部
６２ｃ、２６２ｃ、３６２ｃ、４６２ｃ、５６２ｃ  先端部
１００  テレビジョン装置（表示装置）
４６２、５６２、６６２  回転突起部（第２係合部）
Ｄ１  間隔（第２の間隔）
Ｄ２  間隔（第１の間隔）
【図１】
2015225219.tif 000003
【図２】
2015225219.tif 000004
【図３】
2015225219.tif 000005
【図４】
2015225219.tif 000006
【図５】
2015225219.tif 000007
【図６】
2015225219.tif 000008
【図７】
2015225219.tif 000009
【図８】
2015225219.tif 000010
【図９】
2015225219.tif 000011
【図１０】
2015225219.tif 000012
【図１１】
2015225219.tif 000013
【図１２】
2015225219.tif 000014
【図１３】
2015225219.tif 000015
【図１４】
2015225219.tif 000016
【図１５】
2015225219.tif 000017
【図１６】
2015225219.tif 000018
【図１７】
2015225219.tif 000019
【図１８】
2015225219.tif 000020
【図１９】
2015225219.tif 000021
【図２０】
2015225219.tif 000022
【図２１】
2015225219.tif 000023